(57)【要約】      （修正有）【課題】作業者が無理な体勢にならずに、迅速に血液をサンプリングすることができる液体貯留容器及び液体採取器具並びに採血初流除去容器、採血器具及び血液容器を提供する。【解決手段】液体を空の容器本体２１に貯留するとき、液体は、入口２３、液体通路Ｗ１を経て、液体溜Ｓ１に貯留され、当該液体溜Ｓ１の空気は、空気溜Ｓ２へ収納され、前記容器本体２１を倒立させたとき、前記液体溜Ｓ１の液体は、空気通路Ｗ２から前記空気溜Ｓ２内に侵入し、その後、液体溜Ｓ１と空気溜Ｓ２内の流体圧力が、実質的に平衡状態となり、前記空気溜Ｓ２に液体が存在する状態では、空気溜Ｓ２内の空気は前記液体溜Ｓ１方向へは逆流せず、空気溜Ｓ２内に閉じ込められる液体貯留容器Ｂ。【選択図】図１
2008149076.tif 000002
【特許請求の範囲】
【請求項１】
容器本体（２１）に液体の入口（２３）と液体の出口（２４）を形成し、
容器本体（２１）内部に、第１仕切部（Ｐ１）と第２仕切部（Ｐ２）と第３仕切部（Ｐ３）を形成し、
これにより容器本体（２１）内部を、液体溜（Ｓ１）と空気溜（Ｓ２）に区画するとともに、液体通路（Ｗ１）と空気通路（Ｗ２）を形成し、
液体を空の容器本体（２１）に貯留するとき、液体は、入口（２３）、液体通路（Ｗ１）を経て、液体溜（Ｓ１）に貯留され、当該液体溜（Ｓ１）の空気は、空気溜（Ｓ２）へ収納され、
前記容器本体（２１）を倒立させたとき、前記液体溜（Ｓ１）の液体は、前記空気通路（Ｗ２）から前記空気溜（Ｓ２）内に侵入し、
その後、液体溜（Ｓ１）と空気溜（Ｓ２）内の流体圧力が、実質的に平衡状態となり、前記空気溜（Ｓ２）に液体が存在する状態では、空気溜（Ｓ２）内の空気は前記液体溜（Ｓ１）方向へは逆流せず、空気溜（Ｓ２）内に閉じ込められることを特徴とする液体貯留容器（Ｂ、ＢＡ、ＢＡ´、ＢＤ）。
【請求項２】
容器本体（２１）の上部に液体の入口（２３）を形成し、容器本体（２１）の下部に液体の出口（２４）を形成し、
前記容器本体（２１）内部に、第１仕切部（Ｐ１）と第２仕切部（Ｐ２）と第３仕切部（Ｐ３）を形成し、
前記第１仕切部（Ｐ１）は、容器本体（２１）の略横方向または略斜め方向に形成し、
前記第２仕切部（Ｐ２）は、容器本体（２１）の略縦方向に形成し、
前記第３仕切部（Ｐ３）は、容器本体（２１）の略横方向または略斜め方向から略縦方向に形成し、
前記第１仕切部（Ｐ１）は、前記第２仕切部（Ｐ２）の下部から前記第３仕切部（Ｐ３）の略中間部から略下部のいずれかの間に亘って連続して形成し、
前記容器本体（２１）内部を、液体溜（Ｓ１）と空気溜（Ｓ２）に区画し、
前記第２仕切部（Ｐ２）と前記容器本体（２１）側部間に、上開放部（Ｏ１）、下開放部（Ｏ２）及び空気通路（Ｗ２）を形成し、
前記第３仕切部（Ｐ３）と前記容器本体（２１）側部間に下開放部（Ｏ２´）及び液体通路（Ｗ１）を形成し、
前記空気通路（Ｗ２）は、前記上開放部（Ｏ１）と下開放部（Ｏ２）を経て、前記液体溜（Ｓ１）と前記空気溜（Ｓ２）と連通し、
前記液体通路（Ｗ１）は、前記液体の入口（２３）と前記下部開放部（Ｏ２´）を経て、前記液体溜（Ｓ１）と連通していることを特徴とする請求項１に記載の液体貯留容器（ＢＡ、ＢＡ´、ＢＤ）。
【請求項３】
液体を空の容器本体（２１）の液体溜（Ｓ１）に貯留する時、液体溜（Ｓ１）内の空気は、前記下開放部（Ｏ２）、空気通路（Ｗ２）、上開放部（Ｏ１）を経て、前記空気溜（Ｓ２）へ収納されることを特徴とする請求項２に記載の液体貯留容器（ＢＡ、ＢＡ´）。
【請求項４】
容器本体（２１）の上部に液体の入口（２３）を形成し、容器本体（２１）の下部に液体の出口（２４）を形成し、
前記容器本体（２１）内部に、第１仕切部（Ｐ１）と第２仕切部（Ｐ２）と第３仕切部（Ｐ３）を形成し、
前記第１仕切部（Ｐ１）は、容器本体（２１）の略横方向または略斜め方向に形成し、
前記第２仕切部（Ｐ２）は、容器本体（２１）の略縦方向に形成し、
前記第３仕切部（Ｐ３）は、容器本体（２１）の略横方向または略斜め方向から略縦方向に形成し、
前記第１仕切部（Ｐ１）は、前記第２仕切部（Ｐ２）の下部から前記第３仕切部（Ｐ３）の略中間部から略下部のいずれかの間に亘って連続して形成し、
前記容器本体（２１）内部を、液体溜（Ｓ１）と空気溜（Ｓ２）に区画し、
前記第２仕切部（Ｐ２）と前記容器本体（２１）側部間に、上開放部（Ｏ１）、下開放部（Ｏ２）及び空気通路（Ｗ２）を形成し、
前記第３仕切部（Ｐ３）と前記容器本体（２１）側部間に下開放部（Ｏ２´）及び液体通路（Ｗ１）を形成し、
前記空気通路（Ｗ２）は、前記上開放部（Ｏ１）と下開放部（Ｏ２）を経て、前記液体溜（Ｓ１）と前記空気溜（Ｓ２）と連通し、
前記液体通路（Ｗ１）は、記液体の入口（２３）と前記下部開放部（Ｏ２´）を経て、前記液体溜（Ｓ１）と連通し、
前記第２仕切部（Ｐ２）の上部に空気の誘導部（Ｒ）を形成し、容器本体（２１）の上部壁面（ＷＤ）の下部に空気の誘導壁面（ＷＣ）を形成した、ことを特徴とする請求項１に記載の液体貯留容器（ＢＤ）。
【請求項５】
液体を空の容器本体（２１）の液体溜（Ｓ１）に貯留する時、液体溜（Ｓ１）内の空気は、前記下開放部（Ｏ２）、空気通路（Ｗ２）、誘導部（Ｒ）、上開放部（Ｏ１）、誘導壁面（ＷＣ）を経て、前記空気溜（Ｓ２）へ収納されることを特徴とする請求項４に記載の液体貯留容器（ＢＤ）。
【請求項６】
容器本体（２１）の上部に液体の入口（２３）を形成し、容器本体（２１）の下部に液体の出口（２４）を形成し、
前記容器本体（２１）内部に、第１仕切部（Ｐ１）と第２仕切部（Ｐ２）と第３仕切部（Ｐ３）を形成し、
前記第１仕切部（Ｐ１）と前記第２仕切部（Ｐ２）は、容器本体（２１）の略縦方向に形成し、
前記第３仕切部（Ｐ３）は、容器本体（２１）の略横方向または略斜め方向に形成し、
前記容器本体（２１）内部を、液体溜（Ｓ１）と空気溜（Ｓ２）に区画し、
前記第１仕切部（Ｐ１）と前記第２仕切部（Ｐ２）の間に、上開放部（Ｏ１）と下開放部（Ｏ２）と空気通路（Ｗ２）を形成し、
前記第３仕切部（Ｐ３）と前記容器本体（２１）の上側周辺部（Ｒ）の間に、下開放部（Ｏ２´）と液体通路（Ｗ２）を形成し、
前記空気通路（Ｗ２）は、前記上開放部（Ｏ１）と下開放部（Ｏ２）を経て、前記液体溜（Ｓ１）と前記空気溜（Ｓ２）と連通し、
前記液体通路（Ｗ１）は、前記液体の入口（２３）と前記下開放部（Ｏ２´）を経て、前記液体溜（Ｓ１）と連通していることを特徴とする請求項１に記載の液体貯留容器（Ｂ）。
【請求項７】
液体を空の容器本体（２１）の液体溜（Ｓ１）に貯留する時、液体溜（Ｓ１）内の空気は、前記上開放部（Ｏ１）、空気通路（Ｗ２）、下開放部（Ｏ２）を経て、前記空気溜（Ｓ２）へ収納されることを特徴とする請求項６に記載の液体貯留容器（Ｂ）。
【請求項８】
前記空気通路（Ｗ２）の途中に、狭窄部（Ｗ２ａ）を形成するかまたは逆流防止弁を配置することを特徴とする請求項１から請求項７のいずれか１の請求項に記載の液体貯留容器（Ｂ、ＢＡ、ＢＡ´、ＢＤ）。
【請求項９】
液体溜（Ｓ１）または当該液体溜（Ｓ１）と実質的に同じ機能を有する液体通路（Ｗ１）の容積を、採取すべき液体の規定量と実質的に同じになるように形成したことを特徴とする請求項１から請求項８のいずれか１の請求項に記載の液体貯留容器（Ｂ、ＢＡ、ＢＡ´、ＢＤ）。
【請求項１０】
請求項１から請求項９のいずれか１の請求項に記載の液体貯留容器（Ｂ、ＢＡ、ＢＡ´、ＢＤ）の液体の出口（２４）に、外部容器への液体採取手段を形成したことを特徴とする液体採取器具（１、１Ａ、１Ａ´、１Ｄ）。
【請求項１１】
請求項１０に記載の液体貯留容器（Ｂ、ＢＡ、ＢＡ´、ＢＤ）が採血初流血液を貯留するために使用される容器である採血初流除去容器（Ｂ、ＢＡ、ＢＡ´、ＢＤ）。
【請求項１２】
請求項１０に記載の液体採取器具（１、１Ａ、１Ａ´、１Ｄ）が、血液を採血するために使用する器具である採血器具（１、１Ａ、１Ａ´、１Ｄ）。
【請求項１３】
血液を採取する親容器（４）と複数の子容器（５、６）からなる血液容器（２）において、
上流に採血針（８）を接続した採血チューブ（Ｔ１）の途中に配置された分岐管（１３ａ）に、血液導入チューブ（Ｔ２）を接続し、当該血液導入チューブ（Ｔ２）の下流に請求項１２に記載の採血器具（１、１Ａ、１Ａ´、１Ｄ）を接続したことを特徴とする血液容器（２）。
【発明の詳細な説明】
【技術分野】
【０００１】
本発明は、液体を一次的に貯留し、貯留した液体を空気が混入しないように取り出すことのできる液体貯留容器及び液体採取器具並びに採血初流除去容器、採血器具及び血液容器に関する。
液体とは、血液、医療用の薬剤（薬液、輸液）、工業用等の一般産業用の薬剤等全てを含む。また液体は単一成分でも良いし、二成分以上の混合液体でもよい。
特に好ましい用途は、血液を採取するとともに、検査用血液の採取を容易に行うことのできる採血初流除去容器及び採血器具であるが、採血器具以外の医療分野、一般産業分野にも利用できる。
【背景技術】
【０００２】
以下、採血初流除去容器及び採血器具の例について説明する。
採血針から採取した血液を血液容器に導入する際、供血者の穿刺位置をアルコール等で消毒を行うが、消毒を行なっても、皮膚や皮下に存在する細菌が採取した血液の中に混入することがある。
混入した細菌は、細菌の種類によっては、血液容器を保存している間にも増殖し、細菌の増殖に気づくことなく輸血などに用いられると輸血された患者に感染症などを引き起こし、重篤な事態となるおそれもある。
そこで、採取された血液の細菌汚染防止を図ることができるように、特に採血時の初流の血液を除去するシステムが発明されるようになった。
【０００３】
特許文献１には、献血手順の最初において、供血者と収集容器との間の無菌性を保ちながら、検査用血液が採取できるサンプリングシステムが記載されている。
略円形の内部チャンバ５４に排出チューブ４３を伸長し、排出チューブ４３に連絡している出口ポート５０には、液体サンプルバイアル７０を保持するホルダー６０が接続できるように形成されている。また、内部チャンバ５４内で、入口ポート４６近くまで伸長した排出チューブ４３により、容器４２からサンプリングバイアルに内部チャンバ５４内部の血液等を引き出したとき、サンプリングバイアル内には空気が入らない構造となっている。
【０００４】
特許文献２から特許文献５には、採取した採血初流を採取することができる容器連結体について記載されており、採血血液の細菌検査の精度と、細菌検査における作業性とを向上できるとともに、採血血液を使用する際の安全性を向上することができる旨が記載されている。
具体的には、例えば特許文献４において、チューブ１５により接続された採血容器１０と採血針１５２を有する採血器具１の、チューブ１５の途中に形成した分岐コネクタ９２にはチューブ９１が接続され、その端部には血液を一時的に収納する血液容器２０が接続されている。この容器２０には、先端にサンプリングポート７１が形成されているチューブ９６が接続されている。採血器具１は、採取した初流血液をサンプリングポート７１に接続した採血管へ、容易で安全に導入して細菌検査を行うことができるので、細菌検査の信頼性が高くなるというものである。
【０００５】
また、特許文献６には、採血容器３２内に仕切部４０を形成することで血液成分の収納室４２と血液成分の下層の流出路４１に分画した血液容器が記載されている。仕切部４０が形成する通路３９の上流近傍には、閉塞部材１０、２０、４３が装着される。
仕切部４０で血液容器内を分画することにより、遠心分離処理による上層・中間層・下層に分離後、各血液成分が互いに混入しない状態を維持しながら、中間層が血液容器３２に残るように、上層は上部流出口３９ａから分離容器３３へ、下層は閉塞部材１０、２０、４３を破壊し、仕切部４０により形成される流出路４１を経て流出口３９ｂ、分離容器３４へと分離排出させることができる。
【０００６】
特許文献１の発明では、容器４２内の血液を採取する際、排出チューブ４３により、サンプリングシステムを逆さにしても空気を取り込みにくいが、排出チューブ４３内部の空気をサンプリングバイアルに取り込むことを防止できない。また、排出チューブ４３を介して血液を取り込むため、サンプリングバイアルには少量ずつしか血液を取り込めず、容器４２からサンプリングバイアルへの血液採取作業が迅速に行うことができない。また、容器４２内の血液を採取する際、サンプリングシステムを必ず逆さにしなければいけないという制限がある。
特許文献２から特許文献５の発明では、初流血液の除去、血液のサンプリングはでき得るものの、容器の構成上、供血者からの採血時には、採血用器具が低位置にあるため、作業者が屈みこんだりしゃがんだりといった無理な体勢から、血液をサンプリングしなければならず、特に献血車などの狭い場所で、何度も同様の作業を行なうのは、非常に苦痛となる。
また、特許文献６の、容器３１内に形成されている仕切部４０は、分離した血液の流出口であり、閉塞部材１０、２０、４３の装着を必要としている。
【０００７】
【特許文献１】特表２００３−５０５１８５号公報（［特許請求の範囲］、［００２６］、［００３４］）
【特許文献２】特開平１０−８４９４２号公報（［特許請求の範囲］、図１）
【特許文献３】特開平１１−１９７２３６号公報（［特許請求の範囲］、図１）
【特許文献４】特開２００１−１７５３９号公報（［００８５］〜［００９３］、図１）
【特許文献５】特開２００５−２７９２８９号公報（［００３７］、図１）
【特許文献６】特許第３１７９２０８号公報（［請求項３］、［００１５］、［００１６］、図５）
【発明の開示】
【発明が解決しようとする課題】
【０００８】
本発明が解決しようとする課題は、採血初流除去容器に貯留した血液を真空採血管ホルダ等の外部への血液採取手段から真空採血管に採取する際、真空採血管内にどうしても空気を取り込んでしまう点、また空気を取り込まないようにするためには、血液容器の構成上、採血時には採血初流除去システムが低位置にあることから、作業者が屈みこんだりしゃがんだりといった無理な体勢から血液をサンプリングしなければならない点、また、従来は初流血除去容器に血液が規定量採血できたことを容器につけられた印と血液の液面が一致することによって確認していたが、誤差が大きく、採血に過不足が生じる場合がある点である。
【課題を解決するための手段】
【０００９】
［１］本発明は、容器本体（２１）に液体の入口（２３）と液体の出口（２４）を形成し、
容器本体（２１）内部に、第１仕切部（Ｐ１）と第２仕切部（Ｐ２）と第３仕切部（Ｐ３）を形成し、
これにより容器本体（２１）内部を、液体溜（Ｓ１）と空気溜（Ｓ２）に区画するとともに、液体通路（Ｗ１）と空気通路（Ｗ２）を形成し、
液体を空の容器本体（２１）に貯留するとき、液体は、入口（２３）、液体通路（Ｗ１）を経て、液体溜（Ｓ１）に貯留され、当該液体溜（Ｓ１）の空気は、空気溜（Ｓ２）へ収納され、
前記容器本体（２１）を倒立させたとき、前記液体溜（Ｓ１）の液体は、前記空気通路（Ｗ２）から前記空気溜（Ｓ２）内に侵入し、
その後、液体溜（Ｓ１）と空気溜（Ｓ２）内の流体圧力が、実質的に平衡状態となり、前記空気溜（Ｓ２）に液体が存在する状態では、空気溜（Ｓ２）内の空気は前記液体溜（Ｓ１）方向へは逆流せず、空気溜（Ｓ２）内に閉じ込められる液体貯留容器（Ｂ、ＢＡ、ＢＡ´、ＢＤ）を提供する。
［２］本発明は、容器本体（２１）の上部に液体の入口（２３）を形成し、容器本体（２１）の下部に液体の出口（２４）を形成し、
前記容器本体（２１）内部に、第１仕切部（Ｐ１）と第２仕切部（Ｐ２）と第３仕切部（Ｐ３）を形成し、
前記第１仕切部（Ｐ１）は、容器本体（２１）の略横方向または略斜め方向に形成し、
前記第２仕切部（Ｐ２）は、容器本体（２１）の略縦方向に形成し、
前記第３仕切部（Ｐ３）は、容器本体（２１）の略横方向または略斜め方向から略縦方向に形成し、
前記第１仕切部（Ｐ１）は、前記第２仕切部（Ｐ２）の下部から前記第３仕切部（Ｐ３）の略中間部から略下部のいずれかの間に亘って連続して形成し、
前記容器本体（２１）内部を、液体溜（Ｓ１）と空気溜（Ｓ２）に区画し、
前記第２仕切部（Ｐ２）と前記容器本体（２１）側部間に、上開放部（Ｏ１）、下開放部（Ｏ２）及び空気通路（Ｗ２）を形成し、
前記第３仕切部（Ｐ３）と前記容器本体（２１）側部間に下開放部（Ｏ２´）及び液体通路（Ｗ１）を形成し、
前記空気通路（Ｗ２）は、前記上開放部（Ｏ１）と下開放部（Ｏ２）を経て、前記液体溜（Ｓ１）と前記空気溜（Ｓ２）と連通し、
前記液体通路（Ｗ１）は、前記液体の入口（２３）と前記下部開放部（Ｏ２´）を経て、前記液体溜（Ｓ１）と連通している［１］に記載の液体貯留容器（ＢＡ、ＢＡ´、ＢＤ）を提供する。
［３］本発明は、液体を空の容器本体（２１）の液体溜（Ｓ１）に貯留する時、液体溜（Ｓ１）内の空気は、前記下開放部（Ｏ２）、空気通路（Ｗ２）、上開放部（Ｏ１）を経て、前記空気溜（Ｓ２）へ収納される［２］に記載の液体貯留容器（ＢＡ、ＢＡ´）を提供する。
［４］本発明は、容器本体（２１）の上部に液体の入口（２３）を形成し、容器本体（２１）の下部に液体の出口（２４）を形成し、
前記容器本体（２１）内部に、第１仕切部（Ｐ１）と第２仕切部（Ｐ２）と第３仕切部（Ｐ３）を形成し、
前記第１仕切部（Ｐ１）は、容器本体（２１）の略横方向または略斜め方向に形成し、
前記第２仕切部（Ｐ２）は、容器本体（２１）の略縦方向に形成し、
前記第３仕切部（Ｐ３）は、容器本体（２１）の略横方向または略斜め方向から略縦方向に形成し、
前記第１仕切部（Ｐ１）は、前記第２仕切部（Ｐ２）の下部から前記第３仕切部（Ｐ３）の略中間部から略下部のいずれかの間に亘って連続して形成し、
前記容器本体（２１）内部を、液体溜（Ｓ１）と空気溜（Ｓ２）に区画し、
前記第２仕切部（Ｐ２）と前記容器本体（２１）側部間に、上開放部（Ｏ１）、下開放部（Ｏ２）及び空気通路（Ｗ２）を形成し、
前記第３仕切部（Ｐ３）と前記容器本体（２１）側部間に下開放部（Ｏ２´）及び液体通路（Ｗ１）を形成し、
前記空気通路（Ｗ２）は、前記上開放部（Ｏ１）と下開放部（Ｏ２）を経て、前記液体溜（Ｓ１）と前記空気溜（Ｓ２）と連通し、
前記液体通路（Ｗ１）は、記液体の入口（２３）と前記下部開放部（Ｏ２´）を経て、前記液体溜（Ｓ１）と連通し、
前記第２仕切部（Ｐ２）の上部に空気の誘導部（Ｒ）を形成し、容器本体（２１）の上部壁面（ＷＤ）の下部に空気の誘導壁面（ＷＣ）を形成した［１］に記載の液体貯留容器（ＢＤ）を提供する。
［５］本発明は、液体を空の容器本体（２１）の液体溜（Ｓ１）に貯留する時、液体溜（Ｓ１）内の空気は、前記下開放部（Ｏ２）、空気通路（Ｗ２）、誘導部（Ｒ）、上開放部（Ｏ１）、誘導壁面（ＷＣ）を経て、前記空気溜（Ｓ２）へ収納される［４］に記載の液体貯留容器（ＢＤ）を提供する。
［６］本発明は、容器本体（２１）の上部に液体の入口（２３）を形成し、容器本体（２１）の下部に液体の出口（２４）を形成し、
前記容器本体（２１）内部に、第１仕切部（Ｐ１）と第２仕切部（Ｐ２）と第３仕切部（Ｐ３）を形成し、
前記第１仕切部（Ｐ１）と前記第２仕切部（Ｐ２）は、容器本体（２１）の略縦方向に形成し、
前記第３仕切部（Ｐ３）は、容器本体（２１）の略横方向または略斜め方向に形成し、
前記容器本体（２１）内部を、液体溜（Ｓ１）と空気溜（Ｓ２）に区画し、
前記第１仕切部（Ｐ１）と前記第２仕切部（Ｐ２）の間に、上開放部（Ｏ１）と下開放部（Ｏ２）と空気通路（Ｗ２）を形成し、
前記第３仕切部（Ｐ３）と前記容器本体（２１）の上側周辺部（Ｒ）の間に、下開放部（Ｏ２´）と液体通路（Ｗ２）を形成し、
前記空気通路（Ｗ２）は、前記上開放部（Ｏ１）と下開放部（Ｏ２）を経て、前記液体溜（Ｓ１）と前記空気溜（Ｓ２）と連通し、
前記液体通路（Ｗ１）は、前記液体の入口（２３）と前記下開放部（Ｏ２´）を経て、前記液体溜（Ｓ１）と連通している［１］に記載の液体貯留容器（Ｂ）を提供する。
［７］本発明は、液体を空の容器本体（２１）の液体溜（Ｓ１）に貯留する時、液体溜（Ｓ１）内の空気は、前記上開放部（Ｏ１）、空気通路（Ｗ２）、下開放部（Ｏ２）を経て、前記空気溜（Ｓ２）へ収納される［６］に記載の液体貯留容器（Ｂ）を提供する。
［８］本発明は、前記空気通路（Ｗ２）の途中に、狭窄部（Ｗ２ａ）を形成するかまたは逆流防止弁を配置する［１］から［７］のいずれか１項に記載の液体貯留容器（Ｂ、ＢＡ、ＢＡ´、ＢＤ）を提供する。
［９］本発明は、液体溜（Ｓ１）または当該液体溜（Ｓ１）と実質的に同じ機能を有する液体通路（Ｗ１）の容積を、採取すべき液体の規定量と実質的に同じになるように形成した［１］から［８］のいずれか１項に記載の液体貯留容器（Ｂ、ＢＡ、ＢＡ´、ＢＤ）を提供する。
［１０］本発明は、［１］から［９］のいずれか１項に記載の液体貯留容器（Ｂ、ＢＡ、ＢＡ´、ＢＤ）の液体の出口（２４）に、外部容器への液体採取手段を形成した液体採取器具（１、１Ａ、１Ａ´、１Ｄ）を提供する。
［１１］本発明は、［１０］に記載の液体貯留容器（Ｂ、ＢＡ、ＢＡ´、ＢＤ）が採血初流血液を貯留するために使用される容器である採血初流除去容器（Ｂ、ＢＡ、ＢＡ´、ＢＤ）を提供する。
［１２］本発明は、［１０］に記載の液体採取器具（１、１Ａ、１Ａ´、１Ｄ）が、血液を採血するために使用する器具である採血器具（１、１Ａ、１Ａ´、１Ｄ）を提供する。
［１３］本発明は、血液を採取する親容器（４）と複数の子容器（５、６）からなる血液容器（２）において、
上流に採血針（８）を接続した採血チューブ（Ｔ１）の途中に配置された分岐管（１３ａ）に、血液導入チューブ（Ｔ２）を接続し、当該血液導入チューブ（Ｔ２）の下流に［１２］に記載の採血器具（１、１Ａ、１Ａ´、１Ｄ）を接続した血液容器（２）を提供する。
【発明の効果】
【００１０】
本発明を「採血初流除去容器及び採血器具」に使用する場合は、前記のように構成することにより、
（１）作業者が屈みこんだりといった、無理な体勢にならずに、採血初流除去容器Ｂから迅速に血液をサンプリングすることができる。
（２）容器本体２１内に形成した空気通路Ｗ２により、初流採血時に空気溜Ｓ２に追いやられた空気が血液溜Ｓ１へと再び移動することはないので、真空採血管に血液を採取する場合に、採血初流除去容器Ｂを逆さにしても、真空採血管に空気を吸い込まない。
さらに、（３）採血初流除去容器Ｂ内に採取すべき血液の規定量が採血できたことを容易に判定することができる。
【発明を実施するための最良の形態】
【００１１】
以下、採血初流除去容器及び採血器具の例について説明する。
図１は、採血器具１の概略図、図２は、血液容器２の概略図である。図３は、図１のその他の実施例を示す採血器具１Ａの概略図である。
［採血器具１］
採血器具１は、採血時等に、供血者の初流血液を採血初流除去容器Ｂに採ることで、針穿刺部の皮膚や皮下に存在する細菌等の混入を防止するとともに、容器Ｂ内に採取した初流血液を検査用の血液としても用いるためのものである。
この採血器具１は、採血初流除去容器Ｂと血液採取手段（例えば後述する採血管ホルダ２２）とからなり、例えば図２の血液容器２において、採血チューブＴ１の途中に配置された分岐管１３ａに接続された初流血液導入チューブＴ２の下流（端部）に接続される。
【００１２】
［採血初流除去容器Ｂ］
採血初流除去容器Ｂには、供血者より採取した初流血液を貯留する。
採血初流除去容器Ｂの容器本体２１の上部には、採取する初流血液を容器本体２１内に取り込むための入口２３が形成され、容器本体２１の下部には、採取した血液を取り出すための出口２４が形成されている。
容器本体２１内部に、例えば熱溶着等の手段により、第１仕切部Ｐ１、第２仕切部Ｐ２および第３仕切部Ｐ３を形成している。
第１仕切部Ｐ１と第２仕切部Ｐ２は、容器本体２１の略縦方向に形成し、第３仕切部Ｐ３は、容器本体２１の略横方向または略斜め方向に形成している。このようにして容器本体２１内部を、血液溜Ｓ１と空気溜Ｓ２に区画している。「略横方向または略斜め方向」に形成するとは、単に横方向のみ、または斜め方向に形成しても良いし、図１に例示するように、全体が略Ｓ字状となるように、左側及び／又は右側に曲線状（直線状でもよい）の仕切部を上及び／又は下方向に形成してもよいことを意味する。
第１仕切部（Ｐ１）と第２仕切部（Ｐ２）の間に、上開放部（Ｏ１）と下開放部（Ｏ２）と空気通路（Ｗ２）を形成している。
第３仕切部（Ｐ３）と容器本体（２１）の上側周辺部（Ｒ）（単に上側部という場合もある）の間に、下開放部（Ｏ２´）と血液通路（Ｗ２）を形成している。
空気通路（Ｗ２）は、上開放部（Ｏ１）と下開放部（Ｏ２）を経て、血液溜（Ｓ１）と空気溜（Ｓ２）と連通している。
血液通路（Ｗ１）は、初流血液の入口（２３）と下開放部（Ｏ２´）を経て、血液溜（Ｓ１）と連通している。
初流血液を空の容器本体２１の血液溜Ｓ１に貯留する時、血液は前記血液通路Ｗ１を通り血液溜Ｓ１に貯留する。血液通路Ｗ１は血液を確実に血液溜りに導き血液が空気より先に前記空気通路Ｗ２へ混入することを防止する。
血液溜Ｓ１内の空気は、前記上開放部Ｏ１、空気通路Ｗ２、下開放部Ｏ２を経て、前記空気溜Ｓ２へ収納される。
空気通路Ｗ２の幅は、２〜５ｍｍ程度に設定して形成するのが好ましい。また空気通路Ｗ２の途中の一部に狭窄部Ｗ２ａを形成して、狭くすることにより、空気と血液の流体抵抗の差を利用して、空気は通りやすく血液は通りにくい構造にすることも好ましい。このときの狭くなった部分は通路の直径が０．５〜２ｍｍ程度が適当である。この部分は血液が規定量採血されたときに空気に続いて血液が通り抜ける位置に成形することが好ましい。また空気通路Ｗ２を一部狭くするかわりに逆流防止弁等（例えばあひるのくちばし弁等の一方向弁）を設けるのもよい。
これらの構造は血液が規定量に達したときに採血速度を低減させ血液の過量採取を防止する目的、及び一度空気溜Ｓ２へ移動させた空気が、真空採血管ホルダ２２から真空採血管に採取する際などに逆流することを防止する目的で成形する。
【００１３】
空気通路Ｗ２の幅が狭すぎると、血液を採取する際に、空気溜Ｓ２へと空気がスムーズに移動できない可能性があり、逆に空気通路Ｗ２があまり広すぎると、空気が確実に空気溜Ｓ２に移動できない、または一度空気溜Ｓ２へ移動させた空気が、真空採血管ホルダ２２から真空採血管に採取する際などに逆流するおそれがあるため好ましくない。
さらに、上開放部Ｏ１（非溶着部分）についても、空気通路Ｗ２の幅の設定と同様の理由により、２〜５ｍｍ程度に設定するのが好ましい。
なお、下開放部Ｏ２（非溶着部分）は、血液溜Ｓ１に初流血液が流入する際、追いやられた容器本体２１内の空気が溜まるスペース（空気溜Ｓ２）と連通しているので、空気が貯留可能なように上開放部Ｏ１（非溶着部分）よりも広く（大きく）形成するのが好ましい。
また空気溜Ｓ２を十分広く成形すると、採血時に容器や空気による弾力が、流入する血液を押し戻そうとする力が働くことがなく採血量が不足する恐れが少なくなるため好ましい。
さらに血液溜Ｓ１の容積を、採取すべき血液の規定量と実質的に同じになるように製作・形成することにより、血液溜Ｓ１内に血液が満杯になったとき、血液が空気溜Ｓ２へとあふれる瞬間に、規定量に達したことを容易に確認できる。
【００１４】
［外部容器への血液採取手段］
採血初流容器Ｂ内に採取した血液を、検査等のために外部容器へ採取する手段として、容器本体２１の出口２４に、真空採血管ホルダ２２またはコネクタ付きチューブ（チューブ先端にコネクタを接続したもの）を形成しても良い。要するに、外部容器に血液を採取することが可能であれば、何でも良い。
例えば血液を外部容器に採取する具体的な手段として、例えば、図１に示すような真空採血管ホルダ２２を採用する場合、出口２４に、初流血液の採取針２５が装着され、採取針２５の外周に真空採血管ホルダ２２が装着される。採取針２５はシース２６で覆われる。
容器本体２１の血液溜Ｓ１内に血液を採取後、真空採血管ホルダ２２に真空採血管（図示せず）を差し込んで、容器本体２１内の血液を真空採血管に回収する。
【００１５】
［血液容器２］
血液容器２は、例えば図２に示すように、親容器４、採血器具１、血液フィルタ３、第１子容器５、第２子容器６及び赤血球保存液入容器７から構成される。
親容器４の上流には、採血チューブＴ１が接続されている。採血チューブＴ１には、先端（上流）からその途中にわたって、採血針８、分岐管１３ａ及び流路閉塞手段１２が接続・配置されている。分岐管１３ａには、初流血液導入チューブＴ２（途中にクランプ１１を装着）を介して採血器具１が接続される。
流路閉塞手段１２は、図１に例示するように採血チューブＴ１の内側に配置される連通ピース１２（一部を破断して液体流路を開通するもの）でも良いし、図１に例示するように各チューブＴ１、Ｔ２、Ｔ３の外側に装着し、その開閉により液体流路を開通・閉塞できるクランプ１１ａ、１１ｂ、１１ｃでも良い。
さらに親容器４の下流には、連結チューブＴ３を介して血液フィルタ３及び第１子容器５を接続している。さらに第１子容器５は、連結チューブＴ４、分岐管１３ｂ、連結チューブＴ５、Ｔ６を介して、第２子容器６、赤血球保存液入容器７を接続している。
親容器４及び赤血球保存液入り容器７には、採血時または輸血保存時における血液の凝固の防止または保存のために、例えばＡＣＤ液、ＣＰＤ液、ＭＡＰ液のような抗凝固剤または赤血球保存液を収納している。
【００１６】
採血初流除去容器Ｂ及び血液容器２の容器類を構成する材料として、例えばポリ塩化ビニル、ポリオレフィン等の可撓性合成樹脂が用いられる。
【００１７】
［採血器具１（採血初流除去容器Ｂ）の使用例］
（１）供給者より採血された初流血液は、供血者に穿刺した採血針８から分岐管１３ａ、チューブＴを経て、容器本体２１の血液通路Ｗ１を通って血液溜Ｓ１に貯留される。血液が貯留されるに従い、容器本体２１内の空気は血液に追いやられて、血液溜Ｓ１内の空気は、上開放部Ｏ１、空気通路Ｗ２、下開放部Ｏ２を経て、空気溜Ｓ２へ収納される。
（２）初流血液の採取が規定量に達した時点で、クランプ１１ａを閉じ、採血初流除去容器Ｂへの血液の流れを遮断するとともに、連通ピース１２を破断して、親容器４に血液を貯留する。
（３）一方、容器本体２１の血液溜Ｓ１内に貯留した血液を、容器本体２１の出口２４に接続される真空採血管ホルダ２２から真空採血管へと採取する。
バック本体２１を倒立させたとき、血液溜Ｓ１の血液は、上開放部Ｏ１、空気通路Ｗ２、下開放部Ｏ２を経て、空気溜Ｓ２内に侵入し、その後、血液溜Ｓ１と空気溜Ｓ２内の流体圧力が、実質的に平衡状態となる。空気溜Ｓ２に血液が存在する状態では、空気溜Ｓ２内の空気は、空気通路Ｗ２を経て血液溜Ｓ１方向へは逆流せず、空気溜Ｓ２内に閉じ込められる。
その際、作業者が、屈んだりしゃがみこんだりすることなく、立ち上がった楽な姿勢のまま、採血初流除去容器Ｂを逆さにして真空採血管への採取作業を行っても、空気溜Ｓ２へ収納された空気は、下開放部Ｏ２、空気通路Ｗ２、上開放部Ｏ１を経て、血液溜Ｓ１に再び空気が入り込むことはなく、したがって真空採血管へ空気が混入することもない。
【００１８】
採血初流除去容器Ｂは、前記説明、図１に例示した形態のみに限定されない。要するに、空気通路Ｗ２の幅、第１仕切部Ｐ１の上開放部Ｏ１（非溶着部分）、第２仕切部Ｐ２の下開放部Ｏ２（非溶着部分）及び第３仕切部Ｐ３の下開放部Ｏ２´（非溶着部分）の大きさ（長さ、広さ）等は、初流血液を空の容器本体２１の血液溜Ｓ１に貯留する時、血液溜Ｓ１内の空気が、上開放部Ｏ１、空気通路Ｗ２、下開放部Ｏ２を経て、空気溜Ｓ２へ収納され、血液を取り出す時も含めて、空気溜Ｓ２に収納された空気が、下開放部Ｏ２、空気通路Ｗ２、上開放部Ｏ１を経て血液溜Ｓ１内に逆流しない形態であれば何でも良い。
【００１９】
図１に例示した採血初流除去容器Ｂ（採血器具１）のその他の実施例について、以下に詳述する。
図３に例示した採血初流除去容器ＢＡ（採血器具１Ａ）は、容器本体２１内部の第１仕切部Ｐ１は、容器本体２１の略横方向または略斜め方向に形成し、第２仕切部Ｐ２は、容器本体２１の略縦方向に形成し、第３仕切部Ｐ３は、容器本体２１の略横方向または略斜め方向から略縦方向に形成している。
第１仕切部Ｐ１は、第２仕切部Ｐ２の下部から第３仕切部Ｐ３の略中間部に亘って連続して形成し、容器本体２１内部を、血液溜Ｓ１と空気溜Ｓ２に区画している。
なお第１仕切部Ｐ１の下部（終点）は、第３仕切部Ｐ３の略中間部から略下部の間であればどの位置に形成しても良い。
第２仕切部（Ｐ２）と容器本体（２１）側部間に、上開放部（Ｏ１）、下開放部（Ｏ２）及び空気通路（Ｗ２）を形成している。
第３仕切部（Ｐ３）と容器本体（２１）側部間に下開放部（Ｏ２´）及び血液通路（Ｗ１）を形成している。
空気通路（Ｗ２）は、上開放部（Ｏ１）と下開放部（Ｏ２）を経て、血液溜（Ｓ１）と前記空気溜（Ｓ２）と連通している。
血液通路（Ｗ１）は、初流血液の入口（２３）と前記下部開放部（Ｏ２´）を経て、前記血液溜（Ｓ１）と連通している。
初流血液を空の容器本体２１の血液溜Ｓ１に貯留する時、血液溜Ｓ１内の空気は、下開放部Ｏ２、空気通路Ｗ２、上開放部Ｏ１を経て、前記空気溜Ｓ２へ収納される。
バック本体２１を倒立させたとき、血液溜Ｓ１の血液は、下開放部Ｏ２、空気通路Ｗ２、上開放部Ｏ１から空気溜Ｓ２内に侵入し、その後、血液溜Ｓ１と空気溜Ｓ２内の流体圧力が、実質的に平衡状態となる。空気溜Ｓ２の下部に血液が存在する状態では、空気溜Ｓ２内の空気は、空気通路Ｗ２を経て、血液溜Ｓ１方向へは逆流せず、空気溜Ｓ２内に閉じ込められる。
その他の形状・使用方法等は、図１に例示した採血初流除去容器Ｂ（採血器具１）と実質的に同じであるから詳細な説明は省略する。
【００２０】
図４に例示した採血初流除去容器ＢＡ´（採血器具１Ａ´）は、図３に例示した採血初流除去容器ＢＡ（採血器具１Ａ）において、第１仕切部Ｐ１を、第２仕切部Ｐ２の下部から第３仕切部Ｐ３の略下部に亘って連続して形成したものである。換言すれば第３仕切部Ｐ３の第１仕切部Ｐ１との交差点より下部の部分を削除したものである。なお空気通路の狭窄部Ｗ２ａは図示していないが必要であれば形成しても良い。その他の形状等は、図３に例示した採血初流除去容器ＢＡ（採血器具１Ａ）と実質的に同じであるから、詳細な説明は省略する。
【００２１】
［採血初流除去容器ＢＡ´の使用例］
図４の採血初流除去容器ＢＡ´の使用例方法の一例を図５を参照して説明する。
（Ａ）から（Ｂ）：初流血液を、入口２３から血液通路Ｗ１、下開放部Ｏ２´を経て血液溜Ｓ１の中へ導入する。血液溜Ｓ１の空気は、下開放部Ｏ２、空気通路Ｗ２、上開放部Ｏ１を経て、空気溜Ｓ２の中へ導入される。
（Ｃ）から（Ｄ）：さらに初流血液の導入を継続すると、初流血液は、下開放部Ｏ２、空気通路Ｗ２、上開放部Ｏ１を経て、空気溜Ｓ２の中へ一部導入される。
（Ｅ）から（Ｆ）：採血初流除去容器ＢＡ´を反転（倒立）させて、真空採血管ホルダ２２の採取針２５に真空採血管（図示せず）を装着し、初流血液を採取する。
バック本体２１を倒立させたとき、血液溜Ｓ１の血液は、下開放部Ｏ２、空気通路Ｗ２、上開放部Ｏ１から空気溜Ｓ２内に侵入し、その後、血液溜Ｓ１と空気溜Ｓ２内の流体圧力が、実質的に平衡状態となる。空気溜Ｓ２の下部に血液が存在する状態では、空気溜Ｓ２内の空気は、空気通路Ｗ２を経て、血液溜Ｓ１方向へは逆流せず、空気溜Ｓ２内に閉じ込められる。
空気溜Ｓ２中の初流血液は、次第に（Ｆ）のように、上開放部Ｏ１、空気通路Ｗ２、下開放部Ｏ２を経て、血液溜Ｓ１に移動し、採取針２５を経て真空採血管（図示せず）に採取される。
空気溜Ｓ２の空気は、空気溜Ｓ２内に完全に封止込められ、上開放部Ｏ１、空気通路Ｗ２、下開放部Ｏ２を経て、血液溜Ｓ１に移動することはない。
【００２２】
図６に例示した採血初流除去容器ＢＤ（採血器具１Ｄ）は、図４に例示した採血初流除去容器ＢＡ´（採血器具１Ａ´）において、第２仕切部Ｐ２の上部に空気、初流血液を空気溜Ｓ２内に誘導する誘導部Ｒを形成している。
さらに詳述すれば、誘導部Ｒは空気溜Ｓ２方向に湾曲（カーブ）して形成されている。
さらに採血初流除去容器ＢＤ（容器本体２１）の上部壁面ＷＤの下部に、空気、初流血液を空気溜Ｓ２内に誘導する誘導壁面ＷＣを形成したものである。さらに詳述すれば、誘導壁面ＷＣは、第３仕切部Ｐ３の上部に沿って、下方に傾斜して形成される。傾斜は図６に例示するように、（若干）湾曲（カーブ）させても良いし、ストレートでも良い。
また空気通路の狭窄部Ｗ２ａは、省略されているが、必要であれば形成しても良い。
その他の形状等は、図６に例示した採血初流除去容器ＢＡ´（採血器具１Ａ´）と実質的に同じであるから、詳細な説明は省略する。
【００２３】
［採血初流除去容器ＢＤの使用例］
図６の採血初流除去容器ＢＤの使用例方法の一例を図７を参照して説明する。
（Ａ）から（Ｂ）：初流血液を、入口２３から血液通路Ｗ１、下開放部Ｏ２´を経て血液溜Ｓ１の中へ導入する。血液溜Ｓ１の空気は、下開放部Ｏ２、空気通路Ｗ２、上開放部Ｏ１を経て、空気溜Ｓ２の中へ導入される。
（Ｃ）：さらに初流血液の導入を継続すると、初流血液は、下開放部Ｏ２、空気通路Ｗ２、誘導部Ｒ、上開放部Ｏ１、誘導壁面ＷＣを経て、空気溜Ｓ２の中へ一部導入される。（Ｄ）から（Ｅ）：採血初流除去容器ＢＡ´を反転（倒立）させて、真空採血管ホルダ２２の採取針２５に真空採血管（図示せず）を装着し、初流血液を採取する。
バック本体２１を倒立させたとき、血液溜Ｓ１の血液は、下開放部Ｏ２、空気通路Ｗ２、上開放部Ｏ１から空気溜Ｓ２内に侵入し、その後、血液溜Ｓ１と空気溜Ｓ２内の流体圧力が、実質的に平衡状態となる。空気溜Ｓ２の下部に血液が存在する状態では、空気溜Ｓ２内の空気は、空気通路Ｗ２を経て、血液溜Ｓ１方向へは逆流せず、空気溜Ｓ２内に閉じ込められる。
当初は（Ｄ）のように、初流血液は、空気溜Ｓ２に一次的に導入されるが、次第に（Ｆ）のように、誘導壁面ＷＣ、上開放部Ｏ１、誘導部Ｒ、空気通路Ｗ２、下開放部Ｏ２を経て、血液溜Ｓ１に移動し、採取針２５を経て真空採血管（図示せず）に採取される。空気溜Ｓ２の空気は、空気溜Ｓ２内に完全に封止込められ、誘導壁面ＷＣ、上開放部Ｏ１、誘導部Ｒ、空気通路Ｗ２、下開放部Ｏ２を経て、血液溜Ｓ１に移動することはない。
採血初流除去容器ＢＤでは、「誘導部Ｒ」を形成することにより、空気溜Ｓ２に至までの空気流路Ｗ２が長くなり、採血初流除去容器ＢＡ´を反転（倒立）させたときに、空気溜Ｓ２に導入された血液を、毛管現象により血液溜Ｓ１方向へ吸い上げやすくなる。さらに「誘導壁面ＷＣ」を形成することにより、空気が「誘導壁面ＷＣ」に沿って、空気溜Ｓ２に入りやすくなる。
また上開放部Ｏ１も狭くなるので、空気溜Ｓ２に空気を閉じ込めやすくなる。
また反転（倒立）させたときに、入口２３付近に残る血液が少なく、血液のロスを少なくすることができる。
また空気溜Ｓ２の容積を相対的に大きくできるので、血液中への空気の混入をより確実に防止することができる。
【００２４】
本発明の採血初流除去容器は、図１、図３、図４、図６に例示した形態に限定されない。
要するに、（Ａ）容器本体２１に初流血液の入口２３と初流血液の出口２４を形成し、容器本体２１内部に、第１仕切部Ｐ１と第２仕切部Ｐ２と第３仕切部Ｐ３を形成し、これにより容器本体２１内部を、血液溜Ｓ１と空気溜Ｓ２に区画するとともに、血液通路Ｗ１と空気通路Ｗ２を形成したものであって、（Ｂ）初流血液を空の容器本体２１に貯留するとき、初流血液は、入口２３、血液通路Ｗ１を経て、血液溜Ｓ１に貯留され、当該血液溜Ｓ１の空気は、空気溜Ｓ２へ収納され、（Ｃ）バック本体２１を倒立させたとき、血液溜Ｓ１の血液は、空気通路Ｗ２から空気溜Ｓ２内に侵入し、その後、血液溜Ｓ１と空気溜Ｓ２内の流体圧力が、実質的に平衡状態となり、前記空気溜Ｓ２に血液が存在する状態では、空気溜Ｓ２内の空気は血液溜Ｓ１方向へは逆流せず、空気溜Ｓ２内に閉じ込められるものであれば何でも良い。
「血液溜Ｓ１と空気溜Ｓ２内の流体圧力が、実質的に平衡状態」になるとは、血液溜Ｓ１と空気溜Ｓ２内の流体（血液、空気を含む）が、相互に血液溜Ｓ１と空気溜Ｓ２の間の出入りを停止した状態または出入りしにくくなった状態（血液溜Ｓ１と空気溜Ｓ内の流体圧力が実質的に同じ（等圧）になった状態または拮抗した状態）を意味する。
【産業上の利用可能性】
【００２５】
本発明は、容器の中に貯留した液体を、容器から抜き取る際に（抜き取る方向に関係なく）、空気が液体に混入しないようにしたい目的であれば、医療、工業を問わずその他の全ての分野に利用できる。
例えば以下の利用例が想定される。
［利用例１：輸液］
例えば患者に二種類以上の輸液剤（例えば輸液剤Ａ、輸液剤Ｂ）連続して投与する場合、輸液剤Ａ、輸液剤Ｂをそれぞれ容器ＡＢ、ＢＢに入れ、当該容器ＡＢ、ＢＢに輸液セットＡＳ、ＢＳを接続する。
容器ＡＢ中の輸液剤Ａが空になって、空気が輸液セットＡＳの点滴筒ＡＳＣより患者側へ入り込むと、容器ＢＢ中の輸液剤Ｂの点滴を行うときに、空気が血管に入り込む。これを防止するため、点滴終了を感知するセンサ器具等を、容器ＡＢ、ＢＢまたは輸液セットＡＳ、ＢＳ等に取り付けられている。
これらの容器ＡＢ、ＢＢの代わりに、本発明の液体容器Ｂ、ＢＡ、ＢＡ´、ＢＤを使用し、液体出口２４に輸液セットＡＳを接続し、図５または図７に例示した方法と同様に、液体容器Ｂ、ＢＡ、ＢＡ´、ＢＤから輸液剤Ａを輸液セットＡＳにとりだすようにすれば、空気が輸液セットＡＳに入り込むことはないので、点滴終了を感知するセンサ器具等を使用しなくても、点滴が可能となる。
［利用例２：空気を含まない薬剤（医療・一般産業用）の製造］
また、例えば、液体容器Ｂ、ＢＡ、ＢＡ´、ＢＤの中に薬剤を一時的貯留し、図５または図７に例示した方法と同様に、液体容器Ｂ、ＢＡ、ＢＡ´、ＢＤの液体出口から薬剤を、とりだして、他の容器に詰め替えれば、空気を含まない薬剤（空気を含まない薬剤入り容器）を製造することが可能である。
【図面の簡単な説明】
【００２６】
【図１】採血器具１（採血初流除去容器Ｂ）の概略図
【図２】血液容器２の概略図
【図３】図１のその他の実施例を示す採血器具１Ａ（採血初流除去容器ＢＡ）の概略図
【図４】図１のその他の実施例を示す採血器具１Ａ´（採血初流除去容器ＢＡ´）の概略図
【図５】図４の採血初流除去容器ＢＡ´の使用方法の一例を示す概略図
【図６】図１のその他の実施例を示す採血器具１Ｄ（採血初流除去容器ＢＤ）の概略図
【図７】図６の採血初流除去容器ＢＤの使用方法の一例を示す概略図
【符号の説明】
【００２７】
１、１Ａ、１Ａ´、１Ｄ  液体採取器具（採血器具）
２  血液容器
Ｂ、ＢＡ、ＢＡ´、ＢＤ  液体貯留容器（採血初流除去容器）
３  血液フィルタ
４  親容器
５  第１子容器
６  第２子容器
７  赤血球保存液入容器
８  採血針
１０  針カバー
１１ａ、１１ｂ、１１ｃ  クランプ
１２  連通ピース
１３ａ、１３ｂ  分岐管
２１  容器本体
２２  真空採血管ホルダ
２３  液体（初流血液の）入口
２４  液体（初流血液の）出口
２５  液体（初流血液の）採取針
２６  シース
Ｓ１  液体（血液）溜
Ｓ２  空気溜
Ｐ１  第１仕切部
Ｐ２  第２仕切部
Ｐ３  第３仕切部
Ｏ１  上開放部
Ｏ２、Ｏ２´  下開放部
Ｒ  容器周辺部
Ｗ１  液体（血液）通路
Ｗ２  空気通路
Ｗ２ａ  （空気通路の）狭窄部
ＷＣ  （空気の）誘導壁面
Ｒ    （空気の）誘導部
Ｔ１  採血チューブ
Ｔ２  初流血液導入チューブ
Ｔ３、Ｔ４、Ｔ５、Ｔ６  連結チューブ
【図１】
2008149076.tif 000003
【図２】
2008149076.tif 000004
【図３】
2008149076.tif 000005
【図４】
2008149076.tif 000006
【図５】
2008149076.tif 000007
【図６】
2008149076.tif 000008
【図７】
2008149076.tif 000009